(57)【要約】【課題】  ドラムなどからの振動が、サスペンションを取付固定した台板に直接伝達されるのを低減し、振動や騒音の発生および本体への振動伝達の低減化を図る。【解決手段】  ドラム６を内蔵した水槽５と、本体１底部の台板４との間に設けたサスペンション７により防振支持する構成にあって、前記台板４のサスペンション７の取付部位Ｗには、剛性部材の支持板３１を宛がって固定し、該支持板３１のサスペンション支持部（凹部３４）にサスペンション７を取付固定するとともに、このサスペンション支持部の下面側における前記台板４の取付部位Ｗとの間に隙間Ｓを存した構成とし、該隙間Ｓによりサスペンション７から台板４への振動が直接伝達されるのを軽減し、以って低振動化および低騒音化を図る。【選択図】  図１
2005245577.tif 000002
【特許請求の範囲】
【請求項１】
ドラムを内蔵した水槽を、本体底部の台板に取付固定されたサスペンションにより防振支持するようにしたものにおいて、
前記台板のサスペンションの取付部位には、剛性部材の支持板を宛がい固定し、該支持板のサスペンション支持部にサスペンションを取付固定するとともに、このサスペンション支持部の下面側における前記台板の取付部位との間に隙間を存した構成としたことを特徴とするドラム式洗濯機。
【請求項２】
隙間を存する空間に、防振性弾性部材を埋設したことを特徴とする請求項１記載のドラム式洗濯機。
【請求項３】
支持板のサスペンション支持部は、前記支持板とは異なる素材にて構成したことを特徴とする請求項１記載のドラム式洗濯機。
【発明の詳細な説明】
【技術分野】
【０００１】
本発明は、回転ドラムを内臓した水槽を、サスペンションにより防振支持したドラム式洗濯機に関する。
【背景技術】
【０００２】
従来、水平軸周り（含む傾斜軸周り）に回転可能なドラムを備えたドラム式洗濯機では、該ドラムを内蔵する水槽と洗濯機本体の底部との間に、主にダンパー機構や圧縮コイルばね等による振動減衰作用を利用したサスペンションからなる防振機構を施し、低振動化，低騒音化を図るとともに、本体側への振動の伝達を極力防止するようにしている。しかるに、この種サスペンションの本体底部における取付手段としては、通常本体底部として洗濯機の大きな荷重を支えるべき合成樹脂製の台板を設けており、且つこの台板の取付部位に強度的な補強をなすべく金属製の支持板を取り付け、該支持板にサスペンション下端部のボルト部分を挿通した後、ナットにて緊締し取付固定するようにしている（例えば、特許文献１参照）。
【特許文献１】特開平９−１８７５９６号公報  （第３頁、および図２）
【発明の開示】
【発明が解決しようとする課題】
【０００３】
しかしながら、上記構成において更に具体的に述べると、サスペンションの下端部を固定した支持板に対し、これを下面側から台板の取付部位を突き当てるように密着させて強固な支持構成を得るようにしている。このため、サスペンションによる所期の防振作用は得られるものの、該サスペンションの取付部位における支持板と台板とが突き当て固定のため、サスペンションからの振動が台板に直接伝達され易い。従って、支持板と台板からの重低音が大きくなるとともに、振動が本体へ伝達され易く、延いては設置床面に伝わり本体振動が大きくなったり、或いは洗濯機上面の蓋体などが振動して不協和音を発する等の憂いを有していた。
【０００４】
本発明は上記問題点を解決するため、振動がサスペンションの取付部位である台板に直接伝達されるのを低減し、振動や騒音の発生および本体への振動伝達の低減化を図り得るドラム式洗濯機を提供することを目的とする。
【課題を解決するための手段】
【０００５】
上記問題点を解決するため本発明のドラム式洗濯機は、ドラムを内蔵した水槽を、本体底部の台板に取付固定されたサスペンションにより防振支持するようにしたものにおいて、前記台板のサスペンションの取付部位には、剛性部材の支持板を宛がい固定し、該支持板のサスペンション支持部にサスペンションを取付固定するとともに、このサスペンション支持部の下面側における前記台板の取付部位との間に隙間を存した構成としたことを主たる特徴とするものである。
【発明の効果】
【０００６】
本発明の洗濯機によれば、本来のサスペンションによる振動減衰作用および支持板の補強作用を十分に維持できることはもとより、サスペンションと台板との取付部間に、隙間を介在した構成としたので、サスペンションから台板への振動伝達が軽減され、騒音の低減にも有効であるなどの実用的効果が期待できるドラム式洗濯機を提供できる。
【発明を実施するための最良の形態】
【０００７】
以下、本発明の一実施例を示す図１ないし図５を参照して説明する。
まず、図２に基づき本発明のドラム式洗濯機の全体構成につき述べると、該図２は洗濯機全体の概略構成を一部破断して示す側面図で、図示するように洗濯機の外郭を形成する本体１は、矩形筒状の外箱２と、その上面に被着され図示しない操作パネル等を有するトップカバー３、および下面に被着された台板４とから大略構成されている。
【０００８】
この本体１内には、貯水可能な水槽５と、水槽５内部に水平軸周りに回転可能なドラム６が設けられ、水槽５の下部と本体１底部との間に連結して設けられた複数（例えば２個）のサスペンション７により防振支持された構成としている。この２個のサスペンション７は、互いに内方に若干傾斜した状態で水槽５を支持する形態に組み込まれ、その下端部を洗濯機の前後の２箇所に配置され、従って上端部は水槽５下部の前後側を夫々支持する構成としている。尚、サスペンション７の具体構成や、その取付手段などの詳細は後述する。
【０００９】
そして、前記ドラム６は、周知のように多孔状の円筒状周壁からなり、水槽５の外側壁に設けられたダイレクトドライブの駆動モータ８により回転駆動され、投入された洗濯物の洗いや脱水運転を行なう。また、前記トップカバー３には、投入口３ａが設けられ洗濯物を水槽５を経てドラム６内に投入可能とし、該投入口３ａには蓋体９が開閉可能に設けられている。この蓋体９は、例えば両側部の溝状案内部１０に沿ってスライド移動により開閉可能としていて、全体に屈曲可能な蛇腹状をなすとともに、前後に２分割した形態の前蓋９ａと後蓋９ｂとから構成されている。
【００１０】
そのうち、前蓋９ａは、投入口３ａの急傾斜面状の前半部を開閉し、また後蓋９ｂは投入口３ａの後半部を開閉する。斯かる蓋体９は、後蓋９ｂのスライド移動に連動して前蓋９ａをスライド移動させる蓋連動機構１２を設けており、この蓋連動機構１２は、トップカバー３の下面側に設けられ、後方位置に主滑車１３を、中間位置に補滑車１４を配備し、これら滑車１３，１４にワイヤ１５を掛け渡すとともに、その後端部を後蓋９ｂ前端の保持部１６に連結し、また前端部は前蓋９ａ後端の保持部１７に連結されている。尚、後蓋９ｂの保持部１６には、手掛け部１１を一体に形成している。
【００１１】
しかして、図２の実線で示す蓋体９の閉鎖状態から開放する場合には、後蓋９ｂの手掛け部１１を利用して後方に押してやれば、該後蓋９ｂは本体１内の後部に収納されるとともに、ワイヤ１５は緩むため前蓋９ａは自重により急傾斜面を下降して投入口３ａを開放する。また、再び閉鎖する場合は、上記とは逆の手順で行なえばよく、従って蓋体９の開閉操作は、投入口３ａの半分のストローク操作にて全体の開口を開閉できる。
【００１２】
次に、前記したサスペンション７およびその取付手段の具体構成につき、図１，図３ないし図５を参照して説明する。因みに、図１はサスペンション７を主体とした要部の拡大断面図、図３は前記台板４の平面図、図４はこの台板４の上面に後述する支持板３１を宛がい固定した状態を示す平面図で、図５は図４のＡ−Ａ線に沿って切断して示す断面図である。
【００１３】
まず、図１に基づきサスペンション７の構成につき概述すると、これは例えばオイルダンパー機構１８と圧縮コイルばね１９とを備えてなり、そのうちオイルダンパー機構１８は内部に図示しないオイルやガスを封入したシリンダ２０と、該シリンダ２０内に一端が挿入されたピストンロッド２１を主体とした構成としている。一方、前記圧縮コイルばね１９は、前記ピストンロッド２１の下半部に巻装され、シリンダ２０側の上部ばね座２２とピストンロッド２１側の下部ばね座２３間に張設されている。尚、上記シリンダ２０の上部に一体的に設けられた細径部分の上端部、および上記ピストンロッド２１の下端部には夫々ネジ部２０ａおよび２１ａが形成されている。
【００１４】
斯かる構成のサスペンション７は、その上端部における前記水槽５への取付固定は、その細径部分に座板２４ａ、ゴム製の弾性体２５ａ、取付板２６、ゴム製の弾性体２５ｂ、および座板２４ｂを順に介挿した後、突出したネジ部２０ａにナット２７を緊締して締結している。従って、そのうちの取付板２６を水槽５下部の複数箇所に設けたボス部５ａにボルト２８を緊締することで、サスペンション７の上端部は水槽５に弾力的に取付固定される。
【００１５】
一方、サスペンション７の下端部における前記台板４との取付固定は、ピストンロッド２１の下端部に、座板２９ａ、ゴム製の弾性体３０ａ、支持板３１、ゴム製の弾性体３０ｂ、および座板２９ｂを順に介挿した後、突出したネジ部２１ａにナット２７を緊締して締結している。しかるに、上記支持板３１は、前記台板４にネジ３２により固定され、以ってサスペンション７の下端部も弾力的に台板４に取付固定された構成にある。
【００１６】
しかるに、上記台板４は合成樹脂製にして図３に示すように、洗濯機の重量を支えるべく全体に縦横に延びるリブ形状にて機械的な強度アップが施されている。但し、各種部品の局部的な取付部であるネジ止め部とか、大きな荷重を受けるに部分においては、長期的には必ずしも十分とはいえない。そこで、本実施例では図４に示すように台板４上面には該台板４より剛性の高い素材、例えば金属製とする前記支持板３１を宛がい固定して補強し、該支持板３１を介して大きな荷重を支えるサスペンション７を取付可能としている。
【００１７】
この２個の支持板３１は、実質的に同一形状の矩形板状をなし、洗濯機（台板４）の前方（図４の左側）と後方（同右側）の２箇所に対向配置されるとともに、そのほぼ中央部に周りを段付形状とする取付孔３３を有し、図１および特には図５に明示するようにその長手方向に溝状をなす凹部３４を形成し、その両側の高さが異なるフランジ部３５ａ，３５ｂを介して前記ネジ３２にて台板４の両側のボス部４ａ，４ｂに取付固定されている。尚、上記凹部３４は、若干内方に傾斜した底壁面となすとともに、後述するサスペンション７の取付部位Ｗの区域において、該サスペンション７のサスペンション支持部として前記したピストンロッド２０の下端部を弾性体３０ａ，３０ｂを介してナット２７にて締結固定している。
【００１８】
これに対し、前記台板４は前記取付孔３３に対応する位置に、これより大きな小判型の透孔３６を（図３参照）夫々前後に形成しており、該透孔３６は図１から理解できるようにサスペンション７のピストンロッド２１の当接回避およびナット２７の着脱操作を可能ならしめている。そして、該台板４には複数のリブが縦横に配設されていることを述べたが、これらは合成樹脂製の台板４の補強用若しくは部品取付用のボス部と補強を兼ねたもので、そのうち特にサスペンション７の取付部近傍のリブ構成につき以下に説明する。
【００１９】
図３に示すように、前記透孔３６を囲繞するように左右方向（図示上下方向）に延びる横リブ３７ａ，３７ｂと、前後方向（図示左右方向）に延びる縦リブ３８ａ，３８ｂとが形成され、これらにより囲われた矩形状のリブ枠内の凹所を、所謂サスペンション７の取付部位Ｗとしている。
尚、これら横，縦リブ３７ａ，３７ｂ,８ａ，３８ｂは、図３からも理解できるように実際には複数並列に形成され、そのうち上記したようにサスペンション７の取付部近傍の要部のみに符号を付して説明するものであり、また、その他説明は省略するが当該台板４には排水ホースや支持脚および外箱２などの取付部を一体に成形している。
【００２０】
しかして、上記縦横リブ群に囲われた取付部位Ｗの上面には前記したように前記支持板３１が宛がわれ固定されているが、図５に示すように支持板３１に対し、まず横リブ３７ａ，３７ｂの上端はこの支持板３１のフランジ部３５ａ，３５ｂの裏面に突き当て、一方縦リブ３８ａ，３８ｂの上端は支持板３１の凹部３４の裏面に突き当てた状態で台板４に取付固定されている。そして更に、この取付部位Ｗを左右方向に貫いて延びる補強用のリブ３９ａ，３９ｂが前記透孔３６を挟んで形成されている。
【００２１】
このリブ３９ａ，３９ｂは、本来は上記した横リブ３７ａ，３７ｂと同種のもので、その上端は前記支持板３１の凹部３４の裏面に突き当たる高さとするものであるが、少なくとも当該取付部位Ｗの区域内にあっては上記凹部３４の裏面とは所定の隙間Ｓ（好ましくは、２ｍｍ〜５ｍｍ）を存して対峙する構成とし、これが取付部位Ｗにおける他の部位とは異なるリブ構成としている。
【００２２】
次に、上記構成としたドラム式洗濯機の作用につき述べる。
ドラム式洗濯機では、常にドラム６を回転することにより洗い運転や脱水運転が行なわれ、中でも高速回転による脱水運転では特に洗濯物の偏りにより大きな振動を生ずる。しかるに、その振動は２本のサスペンション７のオイルダンパー機構１８や圧縮コイルばね１９による振動減衰作用等により有効に低減され、台板４を通して本体１への振動伝達を極力軽減し、該振動に伴なう騒音も有効に低減される。また、水槽５やドラム６および駆動モータ８等の重量は、サスペンション７を介して台板４に大きな荷重として加わるが、多数のリブ構成に加え金属製の支持板３１を宛がい補強しているので、強度的にも所期の目的を達成している。
【００２３】
しかるに、本実施例では台板４のサスペンション７の取付部位Ｗにおいては、補強用のリブ３９ａ，３９ｂの上端は、支持板３１の凹部３４（所謂サスペンション支持部）の裏面とは隙間Ｓを存して対峙しており、このためサスペンション７からの振動が直接台板４には伝達されない。即ち、大きな振動はサスペンション７により低振動化され、且つ弾性体３０ａ，３０ｂにより弾力的に取付固定されているサスペンション７であるが、該サスペンション７を直接固定している支持板３１の凹部３４（所謂サスペンション支持部）では、上記ドラム６などの偏荷重に伴なう振動をサスペンション７から直接受けるため、剛性の高い金属板とはいえ弾性的に上下にしなう作用が繰り返し発生する。
【００２４】
しかしながら、取付部位Ｗでは凹部３４の裏面に対し隙間Ｓを有しているので、上記した主に上下方向の振動が下方のリブ３９ａ，３９ｂ、従って台板４には直接伝達されることがない。これに対し、前述の如き従来構成では、本実施例に謂う凹部３４にリブ３９ａ，３９ｂに相当するリブが下から突き当て支持した強固な取付構成としているため、該凹部３４の振動が直接リブに伝達され、且つこれら両者間から重低音が大きくなるなどの騒音が発生する要因となっていたのである。
【００２５】
また、本実施例では支持板３１の凹部３４と隙間Ｓを介して対峙するリブ３９ａ，３９ｂ構成としたので、例えば洗濯機の輸送時に落下衝撃等の予想外に大きな衝撃がサスペンション７を経て支持板３１に加わった場合、上記リブ３９ａ，３９ｂにて下方からそれ以上のしなり変形を受け止めることができ、支持板３１が変形破損にまで至らなくするに有効である。
【００２６】
以上説明したように、本実施例によれば次のような効果を奏する。
本来のサスペンション７による低振動化および低騒音化が図れるに加えて、サスペンション７の取付部位Ｗにおいて、サスペンション支持部である支持板３１の凹部３４に対し、本来補強用のリブ３９ａ，３９ｂを隙間Ｓを存して対峙する構成としたので、該サスペンション７からの振動が当該リブ３９ａ，３９ｂを介して台板４に直接伝達されることがない。斯くして、台板４従って本体１側への振動伝達を一層抑制でき、この台板４や補強用の支持板３１から発生する重低音の騒音を有効に低減でき、更には例えばスライド構成の蓋体９の微振動や騒音の発生、或いは長期的に他の部品の取付手段の緩みや耐久性等にも有利である。
【００２７】
尚、上記実施例では支持板３１を左右方向に長い矩形板状とし、台板４の広い部位にわたり補強効果を有する構成としたが、これに限らず少なくともサスペンション７の取付部位Ｗの補強作用を有する大きさの構成であればよい。また、支持板３１の凹部３４の裏面には、取付部位Ｗを左右に貫くリブ３９ａ，３９ｂを設けて、該取付部位Ｗを除き上記支持板３１の裏面に突き当てて取り付ける構成としたが、このリブ形状に限らず、例えば平坦面にて突き当て支持する構成でもよく、従って、この場合には取付部位Ｗにあっては、その平坦面から隙間Ｓを存した支持板３１との組立構成となるなど、該取付部位Ｗの形状は種々変更可能である。
【００２８】
上記実施例に対し、図６ないし図９は本発明の第１ないし第４の変形例を示す、夫々図５相当図であって、上記実施例と実質的に同一部分には同一符号を付して説明を簡略化し、主に異なる部分につき説明する。
【００２９】
（第１の変形例）
まず図６は、本発明の第１の変形例を示したもので、このものは上記実施例に対し支持板３１の取付固定手段を改善して一層振動伝達の低減に有効としたものである。即ち、フランジ部３５ａ，３５ｂと台板４のボス部４ａ，４ｂとの間に、防振ゴム製の座板４０を介在してネジ３２にて締結固定したものである。
【００３０】
この構成により、サスペンション支持部たる支持板３１の凹部３４に発生した上下振動が、フランジ部３５ａ，３５ｂを通じてボス部４ａ，４ｂ（台板４）に直接伝達されることが軽減され、結果として本体１への振動伝達を一層抑制でき、且つそれだけ騒音の発生も有効に低減することができる。尚、座板４０は防振ゴムに限らず、例えば軟質樹脂など防振性を有する弾性部材であればよい。
【００３１】
（第２の変形例）
次に図７は、本発明の第２の変形例を示したもので、このものは上記実施例に対し隙間Ｓに対応する空間に防振ゴム製でリング状の弾性部材４１を埋設したものである。即ち、取付部位Ｗにおけるリブ３９ａ，３９ｂの上端に支えられ、支持板３１の凹部３４との間で挟持されるように装填されている。
【００３２】
この構成により、サスペンション支持部たる支持板３１凹部３４の上下方向の振動を減衰して、振動伝達および騒音の発生を有効に低減するようにしたものである。尚、上記弾性部材４１は、防振ゴムに限らず、例えば軟質樹脂など防振性を有する弾性部材であればよい。
【００３３】
（第３の変形例）
そして図８は、本発明の第３の変形例を示したもので、このものは上記実施例に対し凹部３４のサスペンション支持部の一部に、当該支持板３１とは異なる素材にて構成したもので、例えば制振鋼板からなる段付リング状の支持座板４２を適宜の固定手段にて取り付けて、これにサスペンション７を直接取付固定するようにしたものである。
【００３４】
この構成により、支持板３１の金属製とする一般的な鉄板に比し振動を吸収する特殊な制振鋼板を用いてサスペンション支持部を構成できるので、該サスペンション支持部自体の振動を抑制することができ、延いては台板４側への振動伝達を効果的に低減できる。
尚、制振鋼板としては、一般の鋼板の間に制振材を挟んだ鋼板、或いは制振材を塗布した鋼板など、組合せ部材による構成としたものでもよい。
【００３５】
（第４の変形例）
更に図９は、本発明の第４の変形例を示したもので、このものは特に上記第３の変形例に類似した構成をなしている。即ち、制振鋼板からなる支持座板４２の外周下面に防振ゴムや軟質樹脂など防振性を有するリング状の座板４３を介して凹部３４に取付固定したものである。
この結果、上記第３の変形例の効果に加えて、支持板３１への振動伝達を一層低減でき、延いては台板４から本体１への振動伝達を抑制でき騒音の低減にも有効である。
【００３６】
尚、本発明は上記し図面に示した実施例に限定されることなく、例えばサスペンションはオイルダンパーと圧縮コイルばねとの組合せ構成としたが、要はドラムや水槽等を防振支持するサスペンションであればよいし、また支持板の凹部をサスペンションを取り付ける支持部としたが、逆に凸部であったり平坦面でもあってもよいし、その他上記した複数の変形例を適宜組合せて実施してもよいなど、実施に際して本発明の要旨を逸脱しない範囲内で種々変更して実施できる。
【図面の簡単な説明】
【００３７】
【図１】本発明の一実施例を示す要部の拡大断面図
【図２】ドラム式洗濯機全体の構成を一部破断して示す側面図
【図３】台板の平面図
【図４】台板に支持板を取付固定した状態の平面図
【図５】図４のＡ−Ａ線に沿って切断して示す要部の断面図
【図６】本発明の第１の変形例を示す図５相当図
【図７】第２の変形例を示す図５相当図
【図８】第３の変形例を示す図５相当図
【図９】第４の変形例を示す図５相当図
【符号の説明】
【００３８】
図面中、１は本体、５は水槽、６はドラム、７はサスペンション、８は駆動モータ、１８はオイルダンパー機構、１９は圧縮コイルばね、２０はピストンロッド、３１は支持板、３４は凹部（サスペンション支持部）、３７ａ，３７ｂは横リブ、３８ａ，３８ｂは縦リブ、３９ａ，３９ｂはリブ、４０，４３は座板、４１は弾性部材、および４２は支持座板を示す。
【図１】
2005245577.tif 000003
【図２】
2005245577.tif 000004
【図３】
2005245577.tif 000005
【図４】
2005245577.tif 000006
【図５】
2005245577.tif 000007
【図６】
2005245577.tif 000008
【図７】
2005245577.tif 000009
【図８】
2005245577.tif 000010
【図９】
2005245577.tif 000011